(57)【要約】【課題】  撮影駒と撮影駒の間にデータを写し込むモジュールの位置決めを容易に行う。【解決手段】  駒間写し込みモジュールを、カメラ裏蓋にフロート支持し、カメラ裏蓋の閉動作に伴い、駒間写し込みモジュールの位置決めを行う位置決め手段をカメラ本体と裏蓋部に設ける。【選択図】    図１
2005084563.tif 000002
【特許請求の範囲】
【請求項１】
本体部と、
前記本体部へフイルム装填可能な開状態と前記フイルムを遮蔽する閉状態との間で開平可能な裏蓋部と
前記フイルムにデータを写し込むデータ写し込み部とを有するデータ写し込み機能付きカメラにおいて、
前記データ写し込み部を前記裏蓋部に移動可能な状態で支持する支持部と
前記裏蓋の閉動作に伴って前記データ写し込み部を案内することにより、前記データ写し込み部と前記本体部との相対位置を調整する相対位置調整部とを更に有することを特徴とするデータ写し込み機能付きカメラ。
【請求項２】
前記相対位置調整部は、前記データ写し込み部に設けられる嵌合部と、前記本体部に設けられる被嵌合部からなることを特徴とする請求項１に記載のデータ写し込み機能付きカメラ。
【請求項３】
前記データ写し込み部は、前記フイルムの露光領域と露光領域との間にデータを写し込み可能であり、前記相対位置調整部は、前記フイルムの給送方向における前記データ写し込み部の位置を調整することを特徴とする請求項１〜２に記載のデータ写し込み機能付きカメラ。
【請求項４】
前記嵌合部及び被嵌合部は、それぞれ複数設けられることを特徴とする請求項２〜３に記載のデータ写し込み機能付きカメラ。
【請求項５】
前記被嵌合部は凸状部であり、前記嵌合部は前記突状部を受ける凹状部であることを特徴とする請求項２〜４に記載のデータ写し込み機能付きカメラ。
【請求項６】
前記データは、撮影日時と露光条件との内の少なくとも１つを含むことを特徴とする請求項１〜５に記載のデータ写し込み機能付きカメラ。
【発明の詳細な説明】
【技術分野】
【０００１】
本発明はデータ写し込み機能付きカメラに関する。特にデータ写し込み部の位置調整を良好に行う調整部を有するカメラに関する。
【背景技術】
【０００２】
従来カメラのデータ写し込み装置は、撮影日付データや撮影時刻データを、フイルムの撮像領域以外の部分に、写し込むものが提案されている。データの写し込みには、ドットマトリックス状にＬＥＤを配置し、所望のデータとなるようにＬＥＤを発光させるものや、ライン状にＬＥＤを配置しフイルム給送時等のフイルムの移動に同期させてＬＥＤを発光させ、所望のデータとするものがある。また、写し込み位置の決め方についても種々のものが提案されており、たとえば特許文献１には、露光範囲の変更に伴いデータの写し込み位置を切り換え可能なデータ写し込み装置が提案されている。
【０００３】
また、写し込む位置は、撮影画像内の隅の位置に写し込むものと、フイルムの撮影画像の駒と駒との間に写し込むもの（駒間写し込み）がある。撮影画像内にデータを写し込む場合は、プリントされた写真にもデータが焼き込まれるため、写真の整理等に役立てることが出来る。一方、駒間写し込みの場合は、プリントされた写真にはデータが写し込まれないため、データによって撮影画像の美観が損なわれる心配がなく、現像後のフイルムを見ればデータを確認できる。
【特許文献１】特開平６−３０１１０１号公報
【発明の開示】
【発明が解決しようとする課題】
【０００４】
駒間にデータを写し込む駒間データ写し込みモジュールは、カメラ本体の撮影画面の範囲を決める撮影画面枠（アパーチャ）の脇に設けることも出来るが、スペースが狭く取り付けることは困難である。仮に撮影画面枠（アパーチャ）の脇に、駒間データ写し込みモジュール設けようとすれば、スプール室またはパトローネ室と撮影画面枠との間隔を大きく取らなくてはならず、カメラの大型化を招くことになる。そのため、駒間データ写し込みモジュールは、カメラ本体ではなくカメラの裏蓋に設けることが多かった。
【０００５】
図４は、従来の写し込みモジュールの取り付け状態を示す分解斜視図である。組み立て工程において、裏蓋基部２２０は不図示の固定工具に固定される。デート（日付）写し込みモジュール１７，１８は、ビス１９，１９で裏蓋基部２０に刻印された位置決めマーク（不図示）を基準に、所定位置に固定されている。一方、駒間写し込みモジュール２１０は、駒と駒との間隔が狭いため写し込み位置を正確に位置決めする必要がある。そのため、駒間写し込みモジュール２１０を裏蓋基部２０に仮置きし、不図示の専用工具を用いてヒンジ部３０を基準に正確に位置決めされる。この正確に位置決めされた状態で、ビス２１６，２１６で裏蓋基部２０に固定される。デート写し込みモジュール１８、駒間写し込みモジュール２１０が装着された後に、圧板１２５が取り付けられた裏蓋は、後工程でカメラ本体に取り付けられる。このように、従来工程では、多くの製造工数を要し仕掛かり時間の長期化やコストアップを招いていた。更に、裏蓋をカメラ本体に取り付けた状態で開閉したときのガタの許容も非常に厳しくなり、一層コストを上げていた。
【０００６】
また、正確に位置決めして裏蓋に取り付けた駒間写し込みモジュールがずれてしまったり、あるいは裏蓋が変形してしまうと、駒（撮影画像）内にデータが写し込まれてしまうとう不具合を招く危険があった。
【０００７】
本発明は、このような問題を生じることなく駒間写し込みモジュールの正確な位置決めが可能な駒間データ写し込みカメラを提供する。
【課題を解決するための手段】
【０００８】
本発明は、駒間写し込みモジュールを移動可能な状態（フローティング式）でカメラの裏蓋に取り付け、裏蓋の閉動作に伴い、カメラ本体の一部が駒間写し込みモジュールを案内する構造とした。
【発明の効果】
【０００９】
本発明のよれば、駒間写し込みモジュールを搭載するカメラの製造工数が削減され、製造コストを下げることが出来る。また、本発明によれば、組み立て後に何らかの作用により、駒間写し込みモジュールの位置がずれた場合にも、容易に位置調整が可能となる。
【発明を実施するための最良の形態】
【００１０】
本発明は、駒間写し込みモジュールをフローティング式に裏蓋に取り付け、裏蓋の閉動作に伴ってカメラ本体に設けられた位置規制部よってカメラ本体と駒間写し込みモジュールの位置が整う構成とした。
【実施例１】
【００１１】
以下、図面等を参照しながら本発明の実施例について、さらに詳しく説明する。
【００１２】
図１に示すように、カメラ１００は、カメラ本体部１１０・レンズ鏡筒部１２０・裏蓋２００を有している。カメラ本体部１１０は、露光を制御するシャッタ機構や装填されたフイルムを給送するフイルム給送機構等を有している。撮影像は、レンズ鏡筒部１２０内に収納された撮影光学系によりフイルム面上に結像し、アパーチャ１３０により記録する範囲が決められている。図１では、アパーチャ１３０がシャッタ機構の先膜遮光膜によって閉ざされているが、シャッタ機構により所望の時間開口できる。またパトローネに収納されたフイルムは、パトローネ室１４０に装填され、フイルム給送機構によって順次アパーチャ１３０に送られる。
【００１３】
裏蓋２００は、データ写し込み機構および圧板２５を有しており、ヒンジ部３０でカメラ本体と開平自在に取り付けられており、閉状態では外部の光がカメラ内部に入りフイルムを感光しないように遮蔽しており、開状態ではフイルムの取り出し及び装填が可能となっている。本実施例では、データ写し込み機構として駒間写し込みモジュール１０とデート（日付）写し込みモジュール１７，１８との２つを有している。駒間写し込みモジュール１０は１文字が７セグメントの発光部を１０個と２個の小数点表示部からなり、シャッター速度（逆数表示）・絞り値・露出補正値等を一括写し込み可能となっている。また、デート写し込みモジュール１７，１８は、撮影した日時を写し込み可能となっている。
【００１４】
駒間写し込みモジュール１０には、ねじ穴１１，１１が設けられている。図２に示されるよう駒間写し込みモジュール１０は、段付きビス１６によって裏蓋基部２０に取り付けられるが、ねじ穴１１の径が段付きビス１６の段差部（雄ネジ部よりも径の大きい円柱部）の径よりも大きくなっており、また、段差付きビス１６の段差部の長さは駒間写し込みモジュール１０の厚さよりも長くなっている。そのため、駒間写し込みモジュール１０は、段差付きビス１６で裏蓋基部２０に取り付けられた状態でも、ガタを持ち移動可能となっている。また、駒間写し込みモジュール１０と裏蓋基部２０との間にはコイルスプリング１５が配置されている。駒間写し込みモジュール１０は、コイルスプリング１５で圧板２５方向に付勢されるため、裏蓋基部２０から浮き上がる状態つまりフロート支持され、ガタツキが防止されている。
【００１５】
図３に示されるように、駒間写し込みモジュール１０には、位置決め凹部１２ａ，１２ｂが設けられており、圧板２５には位置決め凹部１２ａに対応する部分に、位置決め凹部１２ａよりも十分に大きい開口が設けられている。
【００１６】
一方、カメラ本体には位置決め凸部３０ａ，３０ｂが設けられている。位置決め凸部３０ａ，３０ｂは、カメラ本体部付近から離れるにしたがって細くなっている。また、位置決め凸部３０ａ，３０ｂの太さは、裏蓋閉状態で駒間写し込みモジュール１０と勘合する部分が、位置決め凹部１２ａ，１２ｂと勘合した状態で、ガタツキなく嵌合／嵌合解除が自在に出来る嵌め合いとなっている。なお、位置決め凸部３０ａ，３０ｂの位置は、位置決め凹部１２ａ，１２ｂと勘合した状態で、駒間写し込みモジュール１０の位置が駒間写し込みに最適な位置となるように設定されている。
【００１７】
位置決め凸部３０ａ，３０ｂは先端が細いテーパー状になっているため、ヒンジ部３０に多少のガタがあっても裏蓋２００の閉動作に伴いカメラ本体に設けられた位置決め凸部３０ａ，３０ｂと位置決め凹部１２ａ，１２ｂは、確実に勘合できる。嵌合した後、位置決め凹部１２ａ，１２ｂは位置決め凸部３０ａ，３０ｂにガイドされて、駒間写し込みモジュール１０をずらしながら、位置調整を行われる。裏蓋２００が完全に閉まり、カメラが撮影可能な状態となったときに、駒間写し込みモジュール１０の位置は駒間写し込みに最も適した位置とすることが出来る。
【００１８】
本実施例では、位置決め凸部と位置決め凹部とをそれぞれ２つ設けたが、本発明はこれに捕らわれることなく、位置決め凸部と位置決め凹部とをそれぞれ１つとすることも出来る。位置決め凸部と位置決め凹部とをそれぞれ１つにする場合は、駒間写し込みモジュール１０の文字列がアパーチャ１３０の駒間に対応する辺に平行な状態でフイルム給送方向には可動とするガイドを、裏蓋基部２０と駒間写し込みモジュール１０とに設け、フイルム給送方向の位置決めを位置決め凸部と位置決め凹部とで行うようにすればよい。駒間写し込みでは、駒と駒とを結ぶ方向は正確な位置決めが求められるのに対して、駒と駒に平行な方向（アパーチャの駒間に対応する辺と平行な方向）の位置は、多少ずれても問題がないためである。
【００１９】
本実施例では、位置決め凸部をカメラ本体に設け、位置決め凹部を裏蓋に設けた。しかし本発明はこれに捕らわれることなく、位置決め凸部を裏蓋に設け、位置決め凹部をカメラ本体に設けてもよい。また、本実施例では駒間写し込みモジュールだけをフロート支持としたが、デート写し込みモジュールを駒間写し込みモジュールと一体構造とし、駒間写し込みモジュールとデート写し込みモジュールの両方を裏蓋の閉動作によって位置決めするようにしても良い。
【図面の簡単な説明】
【００２０】
図１は、本発明の実施形態のカメラを示す斜視図である。
【００２１】
図２は、本発明の実施形態のカメラの裏蓋を閉じた状態でのＡ−Ａ’断面図である。
【００２２】
図３は、本発明の実施形態の写し込みモジュールの取り付け状態を示す分解斜視図である。
【００２３】
図４は、従来の写し込みモジュールの取り付け状態を示す分解斜視図である。
【符号の説明】
【００２４】
１００          カメラ本体
２００          裏蓋
２０，２２０    裏蓋基部
１７，１８      デート写し込みモジュール
１０，２１０    駒間写し込みモジュール
３０ａ，３０ｂ  位置決め凸部
１２ａ，１２ｂ  位置決め凹部
２５            圧板
１５            コイルスプリング
【図１】
2005084563.tif 000003
【図２】
2005084563.tif 000004
【図３】
2005084563.tif 000005
【図４】
2005084563.tif 000006